(57)【要約】【課題】ハンドルの移動状態を容易に認識することができる魚釣用リールを安定した品質で安価に効率良く生産することができると共に、メンテナンス性を向上させること【解決手段】リール本体１ａの側板１０Ａ，１０Ｂ間に回転自在に支持したスプール２の巻取り状態を、高速と低速とに切換え可能な変速機構を備え、この巻取り状態の切換えを、リール本体１ａの側板１０Ｂに回転自在に設けられたハンドル軸８４の軸方向移動で行う魚釣用リール１において、この側板１０Ｂに設けたハンドル軸支持部１１の外側に、ハンドル軸８４の軸方向位置を視認可能とする着脱可能な指標部材１２を設けた魚釣用リール。【選択図】    図１
2004275136.tif 000002
【特許請求の範囲】
【請求項１】
リール本体の側板間に回転自在に支持したスプールの巻取り状態を、高速と低速とに切換え可能な変速機構を備え、この巻取り状態の切換えを、リール本体の一方の側板に回転自在に設けられたハンドル軸の軸方向移動で行う魚釣用リールにおいて、前記一方の側板に設けたハンドル軸支持部の外側に、ハンドル軸の軸方向位置を視認可能とする着脱可能な指標部を設けたことを特徴とする魚釣用リール。
【請求項２】
前記指標部は、前記ハンドル軸支持部とハンドル軸との間をシール可能であることを特徴とする請求項１に記載の魚釣用リール。
【発明の詳細な説明】
【０００１】
【発明の属する技術分野】
本発明は魚釣用リールに関し、特に、スプールの巻取り状態を高速と低速とに切換え可能な変速機構を備えた魚釣用リールに関する。
【０００２】
【従来の技術】
ハンドル軸を軸方向に移動することにより、リール本体の側板間に回転自在に支持したスプールの巻取り状態を高速と低速とに切換え可能とした変速機構を備える魚釣用リールは従来から知られている。
通常、このような変速機構は、スプールを回転自在に支持するスプール軸上に高速用ピニオン歯車と低速用ピニオン歯車とを設けてあり、ハンドル軸を軸方向に移動することにより、これらのピニオン歯車に対する、ハンドル軸上に設けられた高速用駆動歯車と低速用駆動歯車との噛合わせを切換え、スプールの巻取り状態を高速と低速とに変更する（例えば、特許文献１および特許文献２参照）。
【０００３】
【特許文献１】
特開昭６０−２０７５３９号公報
【０００４】
【特許文献２】
実用新案登録第２５２９８７４号公報
【０００５】
【発明が解決しようとする課題】
しかし、このような巻取り状態の切換えは、釣場の状況変化に応じて、ハンドル軸を軸方向に押込みあるいは引出すことにより行うものであり、その巻取り状態はハンドルの押込み量、あるいは、側板とハンドルとの間隔から認識せざるを得ず、かなりの注意を必要とする。特に、集中力を必要とする実釣時、とりわけ魚がヒットする待機中では、このように手元の魚釣用リールに神経を集中させることは困難であり、スプールの巻取り状態が高速あるいは低速のいずれの状態にあるか正確に把握することが難しく、これにより、状況変化に対して迅速かつ確実に対応することができない。
【０００６】
一方、外側板に一体的に固定されたハンドル軸支持用のハンドル軸支持筒の外周に、ハンドルとの間の距離を認識容易とするマークを施す場合には、このようなマークを形成する凹部、凸部、色入れ等をリール本体の外側板に形成するための特別の治具を用いた大がかりの作業を要する。また、色入れを行う際には、塗料がマーク以外の部位に付着して外観を損ない、更に、マーク以外の部位にはみ出した塗料の溶剤が外側板の塗装表面を侵してしまう可能性もある。
【０００７】
更に、このような釣用リールは、海水、異物、魚のヌメリ等が付着しやすい厳しい屋外環境下で使用されるため、マークを施した部位が汚れ、あるいは損傷等で見難くなり、認識不能となるに至った場合には、外側板の全体を交換することになり、不経済であると共にその交換作業に手間がかかる。
【０００８】
本発明は、このような事情に基づいてなされたもので、ハンドルの移動状態を容易に認識することができる魚釣用リールを安定した品質で安価に効率良く生産することができると共に、メンテナンス性を向上させることを目的とする。
【０００９】
【課題を解決するための手段】
上記目的を達成する本発明の魚釣用リールは、リール本体の側板間に回転自在に支持したスプールの巻取り状態を、高速と低速とに切換え可能な変速機構を備え、この巻取り状態の切換えを、リール本体の一方の側板に回転自在に設けられたハンドル軸の軸方向移動で行う魚釣用リールにおいて、前記一方の側板に設けたハンドル軸支持部の外側に、ハンドル軸の軸方向位置を視認可能とする着脱可能な指標部を設けたことを特徴とする。
【００１０】
【発明の実施の形態】
以下、図面を参照しつつ本発明の一実施形態について説明する。図中、同様な部位には同様な符号を付してある。
図１は、本発明の好ましい実施形態による魚釣用両軸受型リール１を示す。このリール１は、釣糸が巻回されるスプール２と、スプール２を釣糸巻取り方向に回転させるためのハンドル３とを有しており、スプール２は、軸受４Ａ，４Ｂを介してスプール軸４に回転可能に支持されている。このスプール軸４は、軸受６，８を介してリール本体１ａに回転可能に支持されるとともに、リール本体１ａに対して軸方向に沿ってスライドできる。
【００１１】
具体的には、リール本体１ａは、これに締結された左右の側板１０Ａ，１０Ｂを有しており、スプール軸４の一端側（図中、左側・・・反ハンドル側）は、左側板１０Ａに設けられた軸受６に支持されるとともに、スプール軸４の他端側（図中、右側・・・ハンドル側）は、これに回り止め嵌合された後述する高速ピニオンギア２０を介して、右側板１０Ｂに設けられた軸受８に支持されている。更に、スプール軸４の他端側には、小径の前記高速ピニオンギア２０とともに、大径の低速ピニオンギア２２が装着されている。本実施形態では、低速ピニオンギア２２は、高速ピニオンギア２０の外周に回り止め嵌合されている。したがって、これらのピニオンギア２０，２２はスプール軸４と一体で回転できる。
【００１２】
スプール軸４の一端側には、スプール２と摩擦係合しつつスプール２を軸方向で押圧する押圧部３０が取付けられている。押圧部３０は、スプール軸４に回り止め嵌合された押圧体３１と、押圧体３１に支持され且つスプール２の一方側の側面（スプール２の側面に設けられたライニング材９８）に摩擦接触可能な第１のドラグディスク３２と、第１のドラグディスク３２をスプール２より離間させる方向に押圧体３１を付勢する第１の圧縮バネ３６を備えている。ギア３５は、スプール軸４の溝に係止された第１のリテーナ３３と押圧体３１との間に設けられ、スプール軸４に回り止め嵌合されている。このギア３５には、左側板１０Ａの内側に公知のようにネジＳで固定された挟持板バネ３４で付勢保持されたクリック爪３８が係合して、スプール２の釣糸繰り出し方向の回転時に発音する発音体として作用する。
【００１３】
スプール軸４の他端側には、スプール２の他方側の側面（スプール２の側面に設けられたライニング材９９）と摩擦接触可能な第２のドラグディスク４２を支持する支持体４０が回り止め嵌合されている。支持体４０は、低速ピニオンギア２２とも噛み合っており、スプール軸４およびピニオンギア２０，２２と一体で回転できる。この支持体４０に一体的に回り止め嵌合された第２のドラグディスク４２およびライニング材９９は、上述の第１のドラグディスク３２およびライニング材９８と同様に、支持部材９１で支えられたシール９０により水等の異物による摩擦力の低下を防止されている。
【００１４】
また、支持体４０と軸受４Ｂとの間には、第１の圧縮バネ３６よりもバネ力（付勢力）が強い第２の圧縮バネ４３が介挿されている。本実施形態では、第２の圧縮バネ４３は、コイル状に巻回される素線の外径が第１の圧縮バネ３６よりも大きく設定されており、これにより、その弾性係数が第１の圧縮バネ３６のそれよりも大きくなっている。
【００１５】
第２の圧縮バネ４３は、第２のドラグディスク４２をスプール２から離間させる方向に支持体４０を付勢して、スプール２と第２のドラグディスク４２との間に一定のクリアランスを形成するとともに、支持部材４０とピニオンギア２０と軸受８とから成る構造体を右側板１０Ｂの内面に突き当てて、この構造体（８，２０，４０）がスプール軸４の軸方向に移動することを規制する。したがって、このような状態でスプール軸４に取付けられた前記構造体（８，２０，４０）は、スプール軸４と一体で回転するが、スプール軸４とともに軸方向に移動しない。これに対し、軸受４Ｂはスプール軸４とともに軸方向に移動できる。なお、軸受４Ｂは、第２の圧縮バネ４３により、スプール軸４の溝に係止された第３のリテーナ４４に突き当てられている。
【００１６】
ハンドル３が位置するスプール軸４の他端側には、スプール軸４を軸方向に移動させてスプール４の釣糸繰り出し方向の回転に制動力を付与するドラグ機構６０が設けられている。このドラグ機構６０は、右側板１０Ｂに回転可能に装着されたドラグレバー６１を有している。ドラグレバー６１の基部の内孔６１ａには、カム機構が配設されている。このカム機構は、ドラグレバー６１と一体で回転するカム部材６２と、内孔６１ａの内側に突出する右側板１０Ｂの部位に回り止め嵌合されかつ軸方向にスライド可能なスライド部材６４とから成る。そして、このドラグ機構では、ドラグレバー６１の回転に伴ってカム部材６２が回転すると、スライド部材６４と接触するカム部材６２のカム面の作用により、スライド部材６４が軸方向にスライドする。
【００１７】
スライド部材６４には、スプール軸４の他端を回転可能に保持する保持体７０が取付けられている。この保持体７０は、スライド部材６４に螺着された螺合部材７１と、螺合部材７１とスプール軸４との間に介挿された軸受７２と、螺合部材７１に形成されかつスプール軸４に係止されたリテーナ７３との間で軸受７２を挟持する爪部７１ａとから成る。この保持体７０では、螺合部材７１をスライド部材６４に対して回転すると、螺合部材７１が軸方向に移動し、螺合部材７１の爪部７１ａと係合する軸受７２を介して、スプール軸４をハンドル３側の軸方向に移動させる。
【００１８】
また、右側板１０Ｂには、ハンドル３によって回転される筒状のハンドル軸８４が回転可能に支持されている。本実施形態では、ハンドル軸８４は、右側板１０Ｂから突出する筒状のハンドル軸支持部１１を介して取付け固定された支持筒８２内に、回転可能かつ進退可能に挿通されている。ハンドル軸８４の先端部は、リール本体１ａ内に配設された軸受８８によって支持されている。また、右側板１０Ｂの内側延在部には、その外歯が低速ピニオンギア２２に噛み合う低速ギア８６と、その外歯が高速ピニオンギア２０に噛み合う高速ギア８５とが回転可能に支持されている。ハンドル軸８４は、これらのギア８５，８６の中央を貫通して延びる先端部に、変速機構を形成する歯車８７を回り止め嵌合されている。この歯車８７は、ハンドル軸８４が軸方向に進退することにより、高速ギア８５の内歯と噛み合う第１の位置（図１に示す位置）と、低速ギア８６の内歯と噛み合う第２の位置との間を移動できる。このハンドル軸８４の軸方向移動で高速ギア８５と低速ギア８６との一方に噛合う歯車８７は、上述のスプール軸４に設けられたピニオンギア２０，２２と共に変速機構を形成する。
【００１９】
また、ハンドル軸８４には、歯車８７を第１の位置と第２の位置とに位置決めするための位置決め機構が設けられている。この位置決め機構は、ハンドル軸８４に設けられかつハンドル軸８４の外周面に形成された開口を通じて突没自在なボール８１と、支持筒８２の内周面に形成されかつボール８１と係合する環状の係合溝８２ａ，８２ｂと、ハンドル軸８４内に進退可能に挿通されかつボール８１の突没動作を制御するプッシュロッド８０とを有している。この環状の係合溝８２ａ，８２ｂは、ハンドル軸８４の長手方向に互いに所定距離（具体的は前記第１の位置と第２の位置との間の距離に略等しい）だけ離間して位置されている。また、プッシュロッド８０は、ボール８１と接触してボール８１をハンドル軸８４の外周面から所定量突出させることができる外径に設定された大径部８０ａと、ロッド８０の手元側に形成され且つボール８１をハンドル軸８４内に完全に没入させることができる外径に設定された小径部８０ｂと、大径部８０ａと小径部８０ｂとの間に形成され且つボール８１を大径部８０ａと小径部８０ｂとの間で案内するテーパ部８０ｃとを有している。なお、歯車８７の軸方向位置を表示するために、後述する指標部材１２を右側板１０Ｂに設けることが好ましい。
【００２０】
ハンドル軸８４内には、圧縮スプリング８３が設けられている。この圧縮スプリング８３は、ハンドル軸８４とプッシュロッド８０との間に介挿され、ボール８１とプッシュロッド８０の大径部８０ａとが接触する方向にプッシュロッド８０を常時付勢している。この場合、プッシュロッド８０は、圧縮スプリング８３の付勢力により、ハンドル軸８４の手元側開口を塞ぐよう設けられた蓋体８９に当接される。なお、プッシュロッド８０の端部には操作ノブ８０ｄが形成されている。
【００２１】
また、右側板１０Ｂには、スプール２の巻き取り方向の正回転を許容すると共に釣糸繰出し方向の逆回転を防止する逆転防止装置が設けてある。本実施形態では、支軸５０を介して右側板１０Ｂの壁部に支持された支軸５０に装着された２枚からなる係止爪４５が、スプール軸４と一体回転する低速ピニオンギア２２の歯（係止部）に係合する係止部材として、スプール軸４の逆方向（釣糸繰り出し方向）の回転を規制する。
【００２２】
更に、図１に示すように、ハンドル軸８４の歯車８７の位置、すなわちハンドル軸８４が高速ギア８５を介して高速ピニオンギア２０を駆動する第１の位置と、低速ギア８６を介して低速ピニオンギア２２を駆動する第２の位置とのいずれかの位置を表示する指標部としての指標部材１２を、ハンドル軸８４を支えるハンドル軸支持部１１に着脱可能に配置してある。
図２および図３に示すように、この指標部材１２は、支持筒８２の外側に装着されかつハンドル軸支持部１１の外側開口端に螺合された筒状構造を有し、ハンドル軸支持部１１から突出した部位の外周面に凹部が目印１４として形成してある。一方、ハンドル軸８４には、指標部材１２よりも大径のスリーブ１３が固定してあり、ハンドル軸８４の露出部を保護すると共に、支持筒８２との間から異物が浸入するのを防止する。そして、ハンドル軸８４が図２に示す第１の位置に配置されると、指標部材１２の目印１４が露出し、歯車８７が高速ギア８５と噛合っていることを確認することができる。逆に、ハンドル軸８４が図３に示す第２の位置に配置されると、指標部材１２の目印１４がスリーブ１３で覆われ、これにより、歯車８７が低速ギア８６と噛合っていることを確認することができる。
【００２３】
このような指標部材１２は、目印１４が外部から視認できるものであれば、図２および図３に示すように、ハンドル軸支持部１１に着脱可能に螺合される突出部の外周に凹部や凹条を形成することは必ずしも必要はなく、例えば突出部の外周に凸部や凸条を形成して視認可能としても良い。又、目印１４を形成する部分を大径に形成してハンドル軸支持部１１の端面に当接可能とすることにより、その着脱作業が容易となる。
【００２４】
更に、図４に示す変形例による指標部材１２Ａのように、ハンドル軸支持部１１から突出する支持筒８２の外端部に着脱可能に配置した例えばゴム製のキャップ状に形成することもできる。この指標部材１２Ａは、外周面から突出する凸部で目印１４を形成してあり、ハンドル３側の端部の内周縁部とハンドル軸８４との間ｋをシールｓすることができる。このハンドル軸支持部１１側の端部から内周側に突出する突条１５は、支持筒８２の外周面に形成した環状溝に嵌合し、指標部材１２Ａの脱落を防止する。
【００２５】
図５は、他の変形例による指標部材１２Ｂを示す。この指標部材１２Ｂは、ハンドル軸支持部１１の外側端部に弾性係止した樹脂製キャップで形成し、外周面に形成した凹部で目印１４を形成してある。なお、この指標部材１２Ｂで、ハンドル３側の端部とハンドル軸８４との間をシールさせるようにしても良い。
【００２６】
なお、上述の目印１４は、上述のような凹部あるいは凸部に着色マーク等を組合せて形成してもよい。
いずれの場合も、右側板１０Ｂではなく、目印１４を付した着脱可能な別体構造の指標部材１２，１２Ａ，１２Ｂを通じて、歯車８７の軸方向位置（変速切換状態）を確認することができる。このような目印１４は、形成が容易で生産性がよく、安定した品質で安価に製造することができる。また、指標部材１２，１２Ｂのように着脱可能な構造とすることで、使用による汚れ、磨耗等に対して部品交換で対応することがで、メンテナンス性を向上させることができる。
【００２７】
次に、上記構成の魚釣用両軸受型リール１の動作について説明する。
まず、ハンドル３を釣糸巻取り方向に回転すると、ハンドル軸８４が回転し、ハンドル軸８４の歯車８７と噛み合う高速ギア８５または低速ギア８６が回転する。なお、図１の状態では、歯車８７が高速ギア８５と噛み合っているため、高速ギア８５が回転する。高速ギア８５が回転すると、高速ギア８５と噛み合う高速ピニオンギア２０を介してスプール軸４が高速回転する。この状態は、指標部材１２，１２Ａ，１２Ｂの目印１４を通じて容易に視認することができる。
【００２８】
ここで、スプール軸４を低速で回転させたい場合には、まず、圧縮スプリング８３の付勢力に抗してプッシュロッド８０を押し込む。プッシュロッド８１を押し込むと、ボール８１と対向接触するプッシュロッド８０の部位が、大径部８０ａから小径部８０ｂへと移行するため、ボール８１は、大径部８０ａと接触して第１の係合溝８２ｂと係合する図１の状態からテーパ部８０ｃの案内によって小径部８０ｂと接触する状態となり、それに伴って、ハンドル軸８４内に没する。そのため、ハンドル軸８４を支持筒８２内に押し込むことが可能になる。その後、この状態のまま、ハンドル軸８４の全体を支持筒８２内にスライドさせながら、プッシュロッド８０への押圧力を解除すると、ボール８１は、第２の係合溝８２ａと対向した時点で、圧縮スプリング８３の付勢力に伴ってプッシュロッド８０の大径部８０ａにより押し出され（突出され）、第２の係合溝８２ａと係合する。この時、ハンドル軸８４の歯車８７は、ハンドル軸８４のスライドに伴って先端側に移動され（図１に示す第１の位置から第２の位置へと移動され）、低速ギア８６の内歯と噛み合う。したがって、この状態でハンドル３を釣糸巻取り方向に回転すると、ハンドル軸８４が回転するとともに、ハンドル軸８４の歯車８７と噛み合う低速ギア８６が回転し、低速ギア８６と噛み合う低速ピニオンギア２２を介してスプール軸４が低速回転する。この状態は、指標部材１２，１２Ａ，１２Ｂの目印１４を通じて容易に、目印１４が図３のようにスリーブ１３で隠れているので低速状態と、視認することができる。
【００２９】
スプール軸４がスプール２の巻き取り方向に正回転している間は、係止部材として作用する係止爪４５が、逆転防止体である低速ピニオンギア２２の回転を阻害せず、したがって、スプール２に釣糸を自由に巻き取ることができる。一方、釣糸を介してスプール軸４に釣糸繰り出し方向の力が作用すると、係止爪４５が低速ピニオンギア２２の歯（係止部）に係合してスプール軸４の逆回転、つまり、スプール２の逆転を防止する。
【００３０】
このようにして、スプール軸４が回転すると、第１のドラグディスク３２を含む押圧部３０全体が回転するとともに、支持体４０とともに第２のドラグディスク４２も回転する。又、ドラグレバー６１を手前側に回動操作すると、ドラグ機構によるスプール軸４の軸方向移動が解除され、両方のドラグディスク３２，４２とスプール２との間には、圧縮バネ３６，４３の作用により、一定のクリアランスが形成される。したがって、スプール２はフリーで回転でき、スプール２に巻回された釣糸を、何らの抵抗を与えることなく、自由に繰り出すことができる。
【００３１】
一方、ドラグレバー６１を回転させ、カム部材６２を介してスライド部材６４が軸方向にスライドすると、スライド部材６４に取付けられた保持体７０を介してスプール軸４がハンドル３側に移動される。これにより、スプール軸４の一端側に設けられたリテーナ３３を介して押圧部３０も軸方向に移動され、軸受４Ａと押圧部３０との間で第１の圧縮バネ３６が圧縮される。この場合、第２の圧縮バネ４３も圧縮される。そして、ドラグレバー６１を回転し続けると、押圧部３０の第１のドラグディスク３２がスプール２の一端側の側面に接触するようになり、この押圧力に応じた摩擦結合力でスプール２がハンドル軸８４の回転で巻取り回転される。
【００３２】
釣場の状況や長期間の使用で、魚釣用リール１の指標部すなわち指標部材１２，１２Ａ，１２Ｂの目印１４が海水、異物、魚のヌメリ等による汚れで認識不能となった場合には、ハンドル支持筒８２からハンドル３を取外し、指標部材を外部に露出させる。この後、古い指標部材１２，１２Ａ，１２Ｂを新しいものに交換し、ハンドル３を再取付けする。これにより、目印１４が新しくなり、容易に視認することができる。このような指標部材の交換はハンドル３を取外すだけで極めて簡単かつ容易に行うことができる。しかも、指標部材１２，１２Ａ，１２Ｂの交換だけですむため、必要な部品のみを単独で低コストで交換することができ、メンテナンス性を向上させることができる。
【００３３】
更に、このような指標部材１２，１２Ａ，１２Ｂは側板１０Ｂのハンドル支持部１１とは別部材であるため、側板１０Ｂの形成に特別の治具を必要とせず、また色入れによる側板１０Ｂの汚染等が生じることがない。このため、側板１０Ｂしたがって魚釣用リール１を安定した品質で安価に効率良く製造することができる。
【００３４】
なお、本発明は、前述した実施形態に限定されることなく、その要旨を逸脱しない範囲で種々変形実施できることは言うまでもない。例えば、指標部材１２，１２Ａ，１２Ｂの全体を着色させても良い。
【００３５】
【発明の効果】
以上説明したように、本発明の魚釣用リールによれば、ハンドルの移動状態を容易に認識することができる魚釣用リールを安定した品質で安価に効率良く生産することができると共に、メンテナンス性を向上させることができる。
【図面の簡単な説明】
【図１】本発明の好ましい実施形態に係る魚釣用両軸受型リールの断面図。
【図２】図１の鎖線ＩＩで囲む部位の指標部材の拡大断面図。
【図３】図２に示す位置からハンドル軸を内方に移動したときの指標部材を示す拡大断面図。
【図４】変形例による図２と同様な拡大断面図。
【図５】他の変形例による図２と同様な拡大断面図。
【符号の説明】
１…魚釣用両軸受型リール、１ａ…リール本体、２…スプール、１０Ａ，１０Ｂ…側板、１２…指標部材（指標部）、８４…ハンドル軸。
【図１】
2004275136.tif 000003
【図２】
2004275136.tif 000004
【図３】
2004275136.tif 000005
【図４】
2004275136.tif 000006
【図５】
2004275136.tif 000007